(57)【要約】    【課題】      ２個のスピーカにより画像の左右と音像の左右を一致させるように音響信号を再生することができるようにすること。    【解決手段】  本発明は、表示部の回転に伴って、表示部に表示する画像の左右とステレオスピーカの出力する音響信号の左右の位置関係が不一致になった場合に、表示する画像の左右と音響信号の左右の位置を一致させるように音響信号の音像の定位位置を操作することにより、２個のスピーカにより画像の左右と音像の左右を一致させるようにした。  【選択図】      図１
2005295382.tif 000002
【特許請求の範囲】
【請求項１】
回転した際に表示する画像の上下の表示方向を切り替えて正立するように表示する表示手段と、２個のスピーカを持ちステレオで音響信号を出力する音声出力手段と、前記表示する画像の左右と前記音響信号の左右を一致させるように前記音響信号の音像の定位位置を操作する音像定位手段と、を具備したことを特徴とする画像表示装置。
【請求項２】
前記音像定位手段は、前記２個のスピーカのどちらか片方のみの音像を定位させることを特徴とする請求項１記載の画像表示装置。
【請求項３】
前記音像定位手段は、前記２個のスピーカの両方の音像を定位させることを特徴とする請求項１記載の画像表示装置。
【請求項４】
請求項１から請求項４のいずれかに記載の画像表示装置を具備したことを特徴とする携帯電話機。
【発明の詳細な説明】
【技術分野】
【０００１】
本発明は、音響信号再生機能付を持った携帯電話機などの情報端末に用いられる画像表示装置に関する。
【背景技術】
【０００２】
従来、ステレオで音響信号の再生可能な携帯電話機などの情報端末において、回転することにより縦長状態及び横長状態で設置可能な表示部を持ち、表示部の回転に合わせて表示する画像の上下の表示方向を切り替えて表示部に対して正立するように表示するものがある。
【０００３】
そして、このような情報端末において、表示部の回転に対応して画像の上下の表示方向が切り替えられても、画像の右側から右チャネルの音が、左側から左チャネルの音が再生されるような方法が提案されている（例えば、特許文献１）。
【０００４】
特許文献１の方法では、長方形の表示部の異なる頂点部３箇所にそれぞれスピーカを設置し、表示された画像の右側に位置したスピーカから右チャネルの音、画像の左側に位置したスピーカから左チャネルの音を出力するように、音を出力するスピーカを切り替えるというものである。
【特許文献１】特開２００３−２４４７８６号公報
【発明の開示】
【発明が解決しようとする課題】
【０００５】
しかしながら、従来の方法では、画像の左右方向と音像の左右方向を一致させたステレオ再生するのに、３つのスピーカから画像の左右方向と一致する２つのスピーカを選択する方法であるので、最低３個のスピーカが必要だという問題がある。
【０００６】
本発明は、係る点に鑑みてなされたものであり、２個のスピーカにより画像の左右と音像の左右を一致させるように音響信号を再生することができる画像表示装置を提供することを目的とする。
【課題を解決するための手段】
【０００７】
本発明の画像表示装置は、回転した際に表示する画像の上下の表示方向を切り替えて正立するように表示する表示手段と、２個のスピーカを持ちステレオで音響信号を出力する音声出力手段と、前記表示する画像の左右と前記音響信号の左右を一致させるように前記音響信号の音像の定位位置を操作する音像定位手段と、を具備した構成を採る。
【０００８】
この構成により、２つのスピーカにより、画像の表示方向が切り替えられても、画像の表示方向に対応させて画像の右側から右の音響信号、左側から左の音響信号を再生することができる。
【０００９】
本発明の画像表示装置は、上記画像表示装置において、前記音像定位手段は、前記２個のスピーカのどちらか片方のみの音像を定位させる。
【００１０】
この構成により、音像定位処理の軽減ができる。
【００１１】
本発明の画像表示装置は、上記画像表示装置において、前記音像定位手段は、前記２個のスピーカの両方の音像を定位させる。
【００１２】
この構成により、スピーカの配置位置の制限がなくなる。
【００１３】
本発明の携帯電話機は、上記画像表示装置を具備した構成を採る。
【発明の効果】
【００１４】
本発明により、２個のスピーカにより画像の左右と音像の左右を一致させるように音響信号を再生することができる。
【発明を実施するための最良の形態】
【００１５】
本発明は、２個のスピーカにより音像の定位位置を変えられることに着目したものであり、画像の左右と音響信号の左右を一致させるように音響信号の音像の定位位置を操作することにより、２個のスピーカにより画像の左右と音像の左右を一致させることを骨子とするものである。
【００１６】
以下、本発明の一実施の形態について、添付図面参照して詳細に説明する。
【００１７】
まず、本実施の形態に音響信号再生機能付の画像表示装置のハードウェア構成について、図１を用いて説明する。図１は、本実施の形態に係る音響信号再生機能付の画像表示装置のハードウェアブロック図である。
【００１８】
図１に示す音響信号再生機能付の画像表示装置１００は、音源部１０１と、音像定位部１０２と、Ｄ／Ａ部１０３と、アンプ部１０４と、右チャネルスピーカ部１０５と、左チャネルスピーカ部１０６と、表示方向制御部１０７と、表示部１０８とで構成されている。
【００１９】
音源部１０１は、ステレオの音響信号を生成するものである。
【００２０】
音像定位部１０２は、音像定位処理により、右チャネルスピーカ部１０５と左チャネルスピーカ１０６の出力する音像の定位位置を変更するものである。音像定位処理とは、両耳における信号のレベル差と位相差（時間差）によって特定位置（特定方向）に音源を感じさせる音像定位方法であり、例えば特許第３４３５１５６号公報に記載の方法がある。なお、本発明は特に特定の音像定位処理に依存するものではなく、既知の方法を使用できるので音像定位処理方法の詳細な説明は省略する。
【００２１】
Ｄ／Ａ部１０３は、ディジタル信号をアナログ信号に変換するものである。具体的には、Ｄ／Ａ部１０３は、音像定位部１０２から出力されたディジタル信号をアナログ信号に変換し、アンプ部１０４に出力する。
【００２２】
アンプ部１０４は、アナログ信号を増幅するものである。具体的には、アンプ部１０４は、Ｄ／Ａ部１０３から出力されたアナログ信号を増幅し、右チャネルスピーカ部１０５及び左チャネルスピーカ部１０６に出力する。
【００２３】
右チャネルスピーカ部１０５は、右チャネルの音響信号を出力するものである。左チャネルスピーカ部１０６は、左チャネルの音響信号を出力するものである。
【００２４】
表示方向制御部１０７は、表示部１０８が回転に伴って画像の上下の表示方向を変更する旨の表示方向変更信号を受信し、表示部１０８が画像の上下の表示方向を変更するように、表示方向を切り替える旨の表示切替信号を表示部１０８に送信する。なお、表示方向変更信号は、図示しない表示部１０８の傾きを検出する検出器から送られてくる形態であっても良いし、ユーザによる表示部１０８への操作を検出する装置から送られてくる形態であっても、ユーザにより入力される形態であっても良い。
【００２５】
表示部１０８は、図示しない手段から送られてきた画像を表示する個所である。また、表示部１０８は、表示方向制御部１０７から送られてきた表示方向変更信号Ｓ１１０により、表示画像の上下の表示方向を決定する。表示部１０８としては、例えば液晶ディスプレイなどが挙げられる。
【００２６】
次に、画像表示装置１００の装置構成について、図２の外観図を用いて説明する。
【００２７】
図２（Ａ）に示すように、画像表示装置１００の中央には、長方形の表示部１０８が縦長の状態で配置されている。また、表示部１０８の下方近傍の右方向には右チャネルスピーカ部１０５が、左方向には左チャネルスピーカ部１０６が配置されている。
【００２８】
この構成により、画像表示装置１００は、表示部１０８を縦長に配置した状態においては、画像を縦長にし、画像の上下方向と表示部１０８の表示方向を合わせて、画像が表示部１０８に正立するように表示し、画像表示方向に対して右側から右チャネルスピーカ部１０５の音響信号出力、左側から左チャネルスピーカ部１０６の音響信号出力を行う。
【００２９】
一方、図２（Ｂ）に示すように、表示部１０８を横長に配置した場合は、画像を横長に表示すると共に、左チャネルスピーカ部１０６の音響信号の仮想出力点を表示部１０８の中心に右チャネルスピーカ部１０５と対象位置、つまり右側の位置である仮想左チャネル音源点２０１に定位することにより、画像表示方向に対して右側から右チャネルスピーカ部１０５の音響信号出力、左側から左チャネルスピーカ部１０６の音響信号出力を行う。
【００３０】
なお、右チャネルスピーカ部１０５と左チャネルスピーカ部１０６とは、図２（Ｂ）の状態になった際に、音像定位処理を行えるように出力音響信号の位相をずらす必要があるために、表示部１０８に対する左右が対象にならないように配置されている。
【００３１】
また、右チャネルスピーカ部１０５と左チャネルスピーカ部１０６とは、表示部１０８に対して左右に位置すればよく、表示部１０８の裏側に位置していてもよい。また、右チャネルスピーカ部１０５と左チャネルスピーカ部１０６が、表示部１０８自体の左右方向に組み込まれている形態でもよい。
【００３２】
次に、以上のように構成された画像表示装置１００が、画像の表示方向が切り替えられた場合も画像の表示方向と音響信号の右チャネル、左チャネルの出力位置を対応させる方法について、図３のフローチャートを用いて説明する。
【００３３】
まず、画像表示装置１００の表示部１０８が外部から画像信号Ｓ１１１を受信する（ＳＴ３０１）。
【００３４】
次に、表示方向制御部１０７が、外部から表示部１０８における画像の表示方向を変更するよう指示する表示方向変更信号Ｓ１１２が送られてくるか監視することにより、画像の上下の表示方向が正常であるか否かを判断する（ＳＴ３０２）。
【００３５】
なお、本実施の形態では、図２（Ａ）に示すように表示部１０８と右チャネルスピーカ部１０５及び左チャネルスピーカ部１０６との左右の位置関係が一致している場合を正常、図２（Ｂ）に示すように、表示部１０８で表示される画像の向きが変更され、表示部１０８と右チャネルスピーカ部１０５及び左チャネルスピーカ部１０６との左右の位置関係が不一致になった場合を正常でないとする。
【００３６】
ＳＴ３０２において画像の表示方向が正常であると判断すると、表示部１０８は外部から受け取った画像信号Ｓ１１１を表示する（ＳＴ３０３）。
【００３７】
次に、音源部１０１が、音響信号であるディジタル右チャネル信号Ｓ１０１及びディジタル左チャネル信号Ｓ１０２を音像定位部１０２に出力し、音像定位部１０２が入力する（ＳＴ３０４）。
【００３８】
この場合、画像の表示方向は正常であり、入力された音響信号をそのまま出力すればよいので、音像定位部１０２は音像定位処理を行わず音像定位ディジタル右チャネル信号Ｓ１０３及び音像定位ディジタル左チャネル信号Ｓ１０４をＤ／Ａ部１０３に出力する。
【００３９】
次に、Ｄ／Ａ部１０３は、音像定位ディジタル右チャネル信号Ｓ１０３及び音像定位ディジタル左チャネル信号Ｓ１０４をそれぞれ音像定位アナログ右チャネル信号Ｓ１０５及び音像定位アナログ左チャネル信号Ｓ１０６にディジタル−アナログ変換を行ってアンプ部１０４に送る（ＳＴ３０５）。次に、アンプ部１０４は、音像定位アナログ右チャネル信号Ｓ１０５及び音像定位アナログ左チャネル信号Ｓ１０６をそれぞれ増幅して増幅音像定位アナログ右チャネル信号Ｓ１０７及び増幅音像定位アナログ左チャネル信号Ｓ１０８に変換し、増幅音像定位アナログ右チャネル信号Ｓ１０７は右チャネルスピーカ部１０５に、増幅音像定位アナログ左チャネル信号Ｓ１０８は左チャネルスピーカ部１０６に出力する（ＳＴ３０６）。
【００４０】
そして、右チャネルスピーカ部１０５及び左チャネルスピーカ部１０６はそれぞれ受け取った増幅音像定位アナログ右チャネル信号Ｓ１０７及び増幅音像定位アナログ左チャネル信号Ｓ１０８を鳴動させる（ＳＴ３０７）。
【００４１】
このようにして、表示画像の右側の右チャネルスピーカ部１０５から右側の音響信号、表示画像の左側の左チャネルスピーカ部１０６から左側の音響信号を出力する。
【００４２】
一方、ＳＴ３０２において画像の表示方向が正常でないと判断すると、つまり、画像表示装置１００の外部から、表示方向制御部１０７が表示方向変更信号Ｓ１１２を受信した場合、表示方向制御部１０７は、画像の表示方向を変更するために表示方向を切り替えるよう表示部１０８に表示切替信号Ｓ１１０を送信する。
【００４３】
これに対して、表示部１０８は外部から受け取った画像信号Ｓ１１１に対して画像を形を変換をし、さらに、画像の上下の方向を表示部１０８の上下方向にあわせるように（正立するように）表示方向を変更し（ＳＴ３０８）、変更した画像を表示する（ＳＴ３０９）。本実施の形態では、表示部１０８は、表示切替信号Ｓ１１０を受け取った場合、図２（Ａ）に示す状態から図２（Ｂ）に示す状態になるように、画像を横長に変換し、さらに表示画像の方向を変更し、表示する。
【００４４】
また、表示方向制御部１０７は、表示方向変更信号Ｓ１１２を受信した際に、音像定位部１０２に音像の定位を切り替えるよう音像定位指示信号Ｓ１０９を送信する。
【００４５】
これに対して、音像定位部１０２は音像定位指示信号Ｓ１０９を受信し、音源部１０１からディジタル右チャネル信号Ｓ１０１及びディジタル左チャネル信号Ｓ１０２を入力する（ＳＴ３１０）。
【００４６】
次に、音像定位部１０２は、入力したディジタル右チャネル信号Ｓ１０１及びディジタル左チャネル信号Ｓ１０２に対して適当な音像定位処理を行い、音像定位ディジタル右チャネル信号Ｓ１０３及び音像定位ディジタル左チャネル信号Ｓ１０４を算出し、Ｄ／Ａ部１０３に出力する（ＳＴ３１１）。
【００４７】
具体的には、図２（Ｂ）に示す場合、本来左側から音響出力するはずの左チャネルスピーカ部１０６が右側に移動している。このため、音像定位部１０２は、右に移動してしまっている左チャネルスピーカ部１０６が、あたかも左側であって、かつ画像に対して右チャネルスピーカ部１０５と左右対象の位置から音を出しているように音像定位処理をする。詳細には、音像定位部１０２は、ディジタル左チャネル信号Ｓ１０２を仮想左チャネル音源点２０４に音像定位するようにディジタル右チャネル信号Ｓ１０１及びディジタル左チャネル信号Ｓ１０２に対して処理を行う。
【００４８】
また、図２（Ｂ）に示す場合、右チャネルスピーカ部１０５は、右側に位置するので、音像定位部１０２は、右チャネルスピーカ部１０５の音像定位位置を動かさないように処理を行う。
【００４９】
なお、右チャネルスピーカ部１０５と左チャネルスピーカ部１０６とが、共に左に位置する場合は、音像定位部１０２は、右チャネルスピーカ部１０５の出力位置を右側であって、かつ画像に対して左チャネルスピーカ部１０６と左右対象の位置から音を出しているように音像定位処理をする。また、この際に、左チャネルスピーカ部１０６は、左側に位置するので、音像定位部１０２は、左チャネルスピーカ部１０６の音像定位位置を動かさないように処理を行う。
【００５０】
そして、画像表示装置１００は、ＳＴ３０５の処理に移行する。ＳＴ３０５以上の処理は、既に説明したので省略する。
【００５１】
このように、画像表示装置１００が、図２（Ｂ）の状態になった場合、使用者は右チャネルの音響信号を右チャネルスピーカ部１０５から、左チャネルの音響信号を仮想左チャネル音源点２０１から聴取するようになり、表示部１０８の左右と聴取するステレオ音響信号の左右との対応がとれる。
【００５２】
以上説明したように、本実施の形態によれば、画像表示方向が切り替わって、表示画像とスピーカとの左右関係の対応が取れなくなった場合に、スピーカの音像定位処理を行い仮想的に表示画像と音源との左右の対応を採ることにより、２個のスピーカにより表示画像とスピーカとの左右関係とを一致さえることができる。
【００５３】
また、上記実施の形態によれば、表示画像とスピーカとの左右関係の対応が取れなくなった場合に、左右どちらかのスピーカの音像定位を行えば良いので、音像定位処理の軽減ができる。
【００５４】
なお、上記実施の形態では、片方のチャネルのみの定位位置を変える場合について述べたが、必要であれば右チャネル及び左チャネルの音響信号をそれぞれ適当な位置に定位位置を変えても構わない。
【００５５】
このように、２つのスピーカの定位位置を帰ることにより、スピーカの配置位置の制限がなくなる。
【００５６】
また、図４（Ａ）（Ｂ）に示すように、右チャネルスピーカ部１０５と左チャネルスピーカ部１０６とを、表示部１０８に対して点対称の位置に配置しても良い。この場合は、図４（Ａ）の状態になった際に、右チャネルスピーカ１０５に対して仮想右チャネル音源点４０１から音響が出力されるように音像定位する必要がある。また、図４（Ｂ）の状態になった際に、左チャネルスピーカ１０６に対して右側の音響信号を入力し右側の音響信号を出力し、右チャネルスピーカ１０５に対して左側の音響信号を入力すると共に仮想左チャネル音源点４０２から左側の音響が出力されるように音像定位する必要がある。
【産業上の利用可能性】
【００５７】
以上説明したように、本発明によれば、画像表示方向が切り替わって、スピーカとの左右関係の対応が取れなくなった場合に音像定位処理を行い仮想的に表示画像と音源との左右の対応を採ることが、２個のスピーカで可能な音響信号再生機能付画像表示装置を提供することができる。また、本発明の画像表示装置は、例えば、携帯電話機、携帯ゲーム機、携帯端末など、表示方向を変えて画像を表示できる装置に適用できる。
【図面の簡単な説明】
【００５８】
【図１】本発明の一実施の形態に係る音響信号再生機能付の画像表示装置のハードウェアブロック図
【図２】（Ａ）本実施の形態に係る音響信号再生機能付の画像表示装置の音像定位処理を説明するための第１の図、（Ｂ）本実施の形態に係る音響信号再生機能付の画像表示装置の音像定位処理を説明するための第２の図
【図３】本実施の形態に係る画像表示装置の音像定位処理のフローチャート
【図４】（Ａ）本実施の形態に係る音響信号再生機能付の画像表示装置の音像定位処理をその他の例を説明するための第１の図、（Ｂ）本実施の形態に係る音響信号再生機能付の画像表示装置の音像定位処理をその他の例を説明するための第２の図
【符号の説明】
【００５９】
１００  画像表示装置
１０１  音源部
１０２  音像定位部
１０３  Ｄ／Ａ部
１０４  アンプ部
１０５  右チャネルスピーカ部
１０６  左チャネルスピーカ部
１０７  表示方向制御部
１０８  表示部
【図１】
2005295382.tif 000003
【図２】
2005295382.tif 000004
【図３】
2005295382.tif 000005
【図４】
2005295382.tif 000006